(57)【要約】【課題】色が異なるレーザ光を出射する多色レーザ投光装置を提供する。【解決手段】多色レーザ投光装置は、レーザ光を発する光源部と、光源部を駆動する駆動部と、光源部から発せられたレーザ光を中継して略平行な投射ビームを出射する光学系と、を含む。光源部は２以上の発光源を有し、発光源の各々から出射されるレーザ光の色は異なっている。光源部にはハーフミラー等の光路補正手段が含まれることとしても良い。【選択図】  図８
2004309609.tif 000002
【特許請求の範囲】
【請求項１】
レーザ光を出射する光源部と、前記光源部を駆動する駆動部と、前記光源部から発せられたレーザ光を中継して略平行な投射ビームを出射する光学系と、を含む多色レーザ投光装置であって、
前記光源部は、各々から発せられるレーザ光の色が互いに異なっている２以上の発光源を有することを特徴とする多色レーザ投光装置。
【請求項２】
前記発光源はレーザダイオードからなることを特徴とする請求項１記載の多色レーザ投光装置。
【請求項３】
前記レーザダイオードは２つの発光点を有し、前記発光点の間隔が５０μｍ以下であることを特徴とする請求項２記載の多色レーザ投光装置。
【請求項４】
前記レーザダイオードは２つの発光点を有し、前記発光点の間隔が５μｍ以下であることを特徴とする請求項２記載の多色レーザ投光装置。
【請求項５】
前記発光源の各々から出射されたレーザ光の光路が重なり合うように当該光路を補正する光路補正手段を含むことを特徴とする請求項１記載の多色レーザ投光装置。
【請求項６】
前記光路補正手段はハーフミラーであることを特徴とする請求項５記載の多色レーザ投光装置。
【請求項７】
前記光源部は、前記発光源から発せられるレーザ光の光路長を調整する光路長調整手段を含むことを特徴とする請求項１記載の多色レーザ投光装置。
【請求項８】
前記光学系は色消しレンズであることを特徴とする請求項１記載の多色レーザ投光装置。
【請求項９】
前記光源部は前記発光源から発せられたレーザ光の１部を受光する受光部を含み、前記駆動部は前記受光部の出力を自動的に制御するＡＰＣ回路を含むことを特徴とする請求項１記載の多色レーザ投光装置。
【請求項１０】
前記駆動部は前記駆動信号としてパルス信号を発するパルス信号発生部を含むことを特徴とする請求項１記載の多色レーザ投光装置。
【請求項１１】
前記駆動部は前記パルス信号のデューティ比、周波数及び振幅のうち少なくとも１を制御するパルス信号変調部を含むことを特徴とする請求項１０記載の多色レーザ投光装置。
【請求項１２】
前記駆動部は前記レーザ光の色を指示する色データを受け入れる色データ入力部を有することを特徴とする請求項１記載の多色レーザ投光装置。
【請求項１３】
前記色データ入力部は、外部から前記色データを受信する受信部を含むことを特徴とする請求項１２記載の多色レーザ投光装置。
【請求項１４】
前記色データ入力部は、記録媒体に記録された色データを読み取る読取手段を含むことを特徴とする請求項１２記載の多色レーザ投光装置。
【請求項１５】
前記駆動部は、前記色データを外部へ送信することができる送信部を有することを特徴とする請求項１２記載の多色レーザ投光装置。
【発明の詳細な説明】
【０００１】
【発明の属する技術分野】
本発明は、色が異なるレーザ光を出射する多色レーザ投光装置に関する。
【０００２】
【従来技術】
離れた場所から物体にレーザ光を投光して当該投光位置を指示するレーザ投光装置として、例えばレーザポインタが知られている。レーザポインタは、レーザダイオード（以下ＬＤと称する）からなる光源と、該ＬＤから発せられたレーザ光を外部へ出射するコリメートレンズとを含む。
【０００３】
かかるレーザポインタは、プロジェクタ等の映像投射装置を用いたプレゼンテーションに使用されている。
上記の如きレーザポインタの光源は、単色レーザ光を発するＬＤが使用されている。一般的には略６００ｎｍ乃至７００ｎｍの波長範囲の赤色レーザ光を発する。かかる赤色レーザは視認性が高くないことから、第２高調波発生素子（ＳＨＧ）等の光波長変換素子を用いて緑色レーザ光や青色レーザ光を発するレーザポインタが提案されている（例えば特許文献１参照。）。
【０００４】
【特許文献１】
特開２００２−１１６４１２号公報
【０００５】
【発明が解決しようとする課題】
かかるレーザポインタによって指示する場所の色がレーザ光の色に近似している場合、当該指示位置の視認が困難になる。
本発明が解決しようとする課題には、前述した問題が１例として挙げられる。
【０００６】
【課題を解決するための手段】
請求項１に記載の多色レーザ投光装置は、レーザ光を出射する光源部と、前記光源部を駆動する駆動部と、前記光源部から発せられたレーザ光を中継して略平行な投射ビームを出射する光学系と、を含む多色レーザ投光装置であって、前記光源部は、各々から発せられるレーザ光の色が互いに異なっている２以上の発光源を有することを特徴とする。
【０００７】
【発明の実施の形態】
本発明の多色レーザ投光装置の実施例を、添付図面を参照しつつ詳細に説明する。なお、多色レーザ投光装置の実施例としてレーザポインタについて説明する。
図１に示す如く、レーザポインタ１は、電源２と電源２に接続されている駆動部３とを含む。駆動部３は、レーザ光を出射する光源４に接続しており、光源４へ駆動信号を供給して光源４の発光動作を制御する。
【０００８】
光源４は互いに異なる波長、すなわち異なる色のレーザ光を発する２以上の発光源（図示せず）を有しており、該発光源の各々は例えばＬＤ素子からなる。光源４は、単一の発光点を有するＬＤ素子を２つ含むこととしても良い。例えば、図２に示す如くシリコン（Ｓｉ）サブマウント６に２つのＬＤ素子７ａ、７ｂが載置されて形成されている光源が使用されても良い。ＬＤ素子７ａ，７ｂは、各々の発光点の間隔が近くなるように、例えば隣接して載置されても良い。ＬＤ素子７ａ、７ｂは、駆動部３からの駆動信号によって動作できるようにそれぞれ配線（図示せず）が設けられている。ＬＤ素子７ａ、７ｂは、各ＬＤ素子の発光点８ａ、８ｂから出射されるレーザ光Ｌ１、Ｌ２が同一方向に進行するように載置されている。レーザ光Ｌ１、Ｌ２の色は異なっており、例えばレーザ光Ｌ１、Ｌ２は、各々赤色レーザ光と青色レーザ光としても良い。
【０００９】
光源４の各発光源は駆動部３からの駆動信号に応じてレーザ光を発し、例えば光源４から赤色レーザ光のみ又は青色レーザ光のみを発することができる。発光源４から発せられたレーザ光Ｌ１、Ｌ２は、光路中に備えられたコリメータレンズ等の光学レンズ５を介して外部へ発せられる。
かかる構成のレーザポインタは、発光点の間隔を小としたことによって、発光源毎に光学レンズを備える必要がなく、波長が異なるレーザ光を１つの光学レンズから出射することができる。故に、多色レーザポインタの大きさを小とすることができる。
【００１０】
また、上記レーザポインタは、複数のレーザ光を発することができる故、発光源の動作を切替えることでレーザ光が照射される位置の材料、色などに応じて、照射位置の光を観る観者が視認し易い色に変更することができる。
なお、上記の如きレーザポインタにおいて、光源４の発光源は同時に動作することとしてもよい。同時に複数の光を出射することによって、レーザ光が照射される照射位置においてレーザ光を重ね合わせることができる。かかるレーザ光の重ね合わせによって、観者は重ね合わされた色を見ることとなる故、出射されるレーザ光とは異なる色を投光することができる。
【００１１】
ＬＤ素子は、１つの素子が複数の発光点を有することとしても良い。例えば、図３に示す如く、２つの発光源が一体的に形成されている２波長ＬＤ素子としても良い。２波長ＬＤ素子は、第１発光源と第２発光源とからなる。第１発光源は、リッジ構造を有する窒化ガリウム（ＧａＮ）系レーザであり、ｎ型ＧａＮ層９上にｎ型ＡｌＧａＮクラッド層１０、活性層１１、ｐ型ＡｌＧａＮクラッド層１２、ｐ型ＧａＮコンタクト層１３が順次積層された多層構造体である。リッジ頂部のｐ型ＧａＮコンタクト層１３の１部とリッジ谷部のｎ型ＧａＮ層９の１部とにそれぞれ窓１４、１５を形成して、それ以外の多層構造体の頂部をＳｉＯ２等の絶縁材料からなる絶縁層１６によって覆われている。さらに、窓１４を介してニッケル−金（Ｎｉ−Ａｕ）電極層１７がｐ型ＧａＮコンタクト層１３上に、また、窓１５を介してチタン−金（Ｔｉ−Ａｕ）電極層１８がｎ型ＧａＮ層９上に配されている。
【００１２】
第２発光源は、リッジ構造を有するアルミニウム−ガリウム−ヒ素（ＡｌＧａＡｓ）系レーザであり、ｎ型ＧａＡｓ基板１９上に、ｎ型ＡｌＧａＡｓクラッド層２０、活性層２１、ｐ型ＡｌＧａＡｓクラッド層２２、ｐ型ＧａＡｓコンタクト層２３が順次積層された多層構造体である。リッジ谷部のｎ型ＧａＡｓ基板１９及びリッジ頂部のｐ型ＧａＡｓコンタクト層２３の１部にそれぞれ窓２４、２５を形成して、それ以外の多層構造体の頂部をＳｉＯ２等の絶縁材料からなる絶縁層２６によって覆われている。さらに、窓２４を介して金−ゲルマニウム（Ａｕ−Ｇｅ）合金電極層２７、窓２５を介してクロム−金（Ｃｒ−Ａｕ）電極層２８がそれぞれｎ型ＧａＡｓ基板１９及びｐ型ＧａＡｓコンタクト層２３上に配されている。
【００１３】
第１発光源のＮｉ−Ａｕ電極層１７と第２発光源のＡｕ−Ｇｅ合金電極層２７は、金−錫（Ａｕ−Ｓｎ）合金層２９によって接続されている。また、第１発光源のＴｉ／Ａｕ電極層１８と第２発光源のＣｒ−Ａｕ電極層２８は、Ａｕ−Ｓｎ合金層３０によって接続されている。
さらに、第１発光源のｎ型ＧａＮ層９において絶縁層１６が配されている面と反対側の面には、Ｔｉ／Ａｕ電極３１が配されている。同様に第２発光源のｎ型ＧａＡｓ基板１９において絶縁層２６が配されている面と反対側の面には、Ａｕ−Ｇｅ電極３２が配されている。
【００１４】
以上の如き構成のＬＤ素子は、図４の等価回路に示すように、第１発光源及び第２発光源が、それぞれＤ１及びＤ２のダイオードを形成している。かかる２つのダイオードは、互いの極性を逆向きにして結合した回路を構成している。故に、Ｉ１方向に電流が流れるときは第１発光源が発光し、逆に矢印Ｉ２方向に電流が流れるときは第２発光源が発光する。
【００１５】
変形例として、メサ構造を有する２波長ＬＤ素子が使用されても良い。
例えば、図５に示す如く、メサ構造を有する２波長ＬＤ素子３３は、第１発光源と第２発光源とを有する。第１発光源は窒化ガリウム（ＧａＮ）系レーザであり、サファイア基板３４上にｎ型ＧａＮコンタクト層３５が設けられている。ｎ型ＧａＮコンタクト層３５はストライプ状のメサが設けられ、該メサの両側には平坦部３６、３７が設けられている。該メサの上に、ｎ型ＡｌＧａＮクラッド層３８、活性層３９、ｐ型ＡｌＧａＮクラッド層４０、ｐ型ＧａＮコンタクト層４１が順次積層されて、多層構造体が形成されている。ｐ型ＧａＮコンタクト層４１にはストライプ状のリッジが形成されている。第１発光源はＳｉＯ２等の絶縁材料からなる絶縁層４２に覆われ、該リッジの頂部と平坦部３６に各々窓４３，４４が設けられている。窓４４には、ｎ型ＧａＮコンタクト層３５に接続している第１電極４５が設けられている。
【００１６】
第２発光源は、リッジ構造を有するアルミニウム−ガリウム−インジウム−リン（ＡｌＧａＩｎＰ）系レーザであり、ｎ型ＧａＡｓ基板４６上に、ｎ型ＡｌＩｎＰクラッド層４７、活性層４８、ｐ型ＡｌＩｎＰクラッド層４９、ｐ型ＧａＡｓコンタクト層５０が順次積層されて設けられている。ｐ型ＧａＡｓコンタクト層５０には、ストライプ状のリッジが形成されている。かかる第２発光源のｐ型ＧａＡｓコンタクト層５０はＳｉＯ２等の絶縁層５１によって覆われ、該リッジ頂部には窓５２が設けられている。ｎ型ＧａＡｓ基板４６には、ｎ型ＧａＡｓ基板４６を介してｎ型ＡｌＩｎＰクラッド層４７と対向するように第２電極５３が設けられている。
【００１７】
上記の如き第１発光源と第２発光源はＡｕ−Ｓｎ合金からなるボンディングメタル５４にて溶着され、第１発光源のｐ型ＧａＮコンタクト層４１と第２発光源のｐ型ＧａＡｓコンタクト層５０が各々窓４３と窓５２を介してボンディングメタル５４に接続している。ボンディングメタル５４は絶縁層４２上に沿って平坦部３７にまで延在している。平坦部３７上でボンディングメタル５４と接続している第３電極５５が設けられている。
【００１８】
かかる構成の２波長ＬＤ素子は、図６の等価回路に示す如く、第１発光源がダイオードＤ１ａを形成し且つ第２発光源がダイオードＤ２ｂを形成し、当該２つのダイオードの陽極が共通している。従って、両発光源に順方向に電流を流す場合、第１発光源と第２発光源が同時にレーザ光を発する。
上記の如き２波長ＬＤ素子によれば、２つの発光源を有するレーザ素子を一体的に形成することができることから、光源を小とすることができる故、小なる大きさの多色レーザポインタを得ることができる。
【００１９】
上記の如き複数の発光源を有するレーザポインタによれば、波長が異なるレーザ光を投光することができるものの、異なる波長のレーザ光を切替える際に、レーザ光の照射位置がずれてしまう。すなわち、図７に示す如く、ｄｍｍだけ離れている２つの発光点と該発光点から１０ｍｍの位置に配置されている光学レンズ５６とを有するレーザポインタによってＬｍ先の位置を指示する場合、各発光点から出射されるレーザ光によって照射される位置の間隔ｄ’は、
ｄ’＝Ｌ×（ｄ／１０）  …  （式１）
となる。例えば、発光点間の距離が５００μｍであるＬＤを含むレーザポインタによって、１０ｍ離れた位置にレーザ光を投光する場合、レーザ光の切替によって発生する位置ずれは５０ｃｍとなる。従って、発光間の距離は小であることが好ましく、５０μｍ以下であることが好ましい。また、５μｍ以下であることがより好ましい。上記実施例のうち、図３に示す如き素子によれば、発光点の間隔を５０μｍ以下にすることができる。また、図５に示す如き素子によれば、発光点の間隔を５μｍ以下にすることができる。
【００２０】
上記の如き位置ずれを補正するための補正手段がレーザポインタに含まれても良い。例えばレーザ光の光路が重なり合うように補正する光路補正手段が含まれても良い。
図８に示す如く、レーザポインタ１ａは第１ＬＤ４ａと第２ＬＤ４ｂとを備えており、第１ＬＤ４ａと第２ＬＤ４ｂは各々のＬＤから発せられるレーザ光が直交するように配置されている。当該レーザ光が直交する位置には、ハーフミラー５７が備えられている。ハーフミラー５７は、第１ＬＤ４ａから出射したレーザ光を透過するように配置されている。また、ハーフミラー５７は、第２ＬＤから出射したレーザ光が進行方向に対して９０°方向に反射し、且つ当該反射光が当該透過光の光路に重なり合うように配置されている。かかるハーフミラー５７を通過した当該透過光と当該反射光は同一の光路を伝播し、当該透過光と当該反射光は光学レンズ５から外部へ発せられる。
【００２１】
上記の如き構成によれば、ハーフミラーによってレーザ光の光路を一致させることができる故、切替え時における照射位置のずれを防止することができる。
光路補正手段は、上記の如きハーフミラーに限定されず、例えば平面導波路型の合波器が用いられても良い。
なお、波長が異なるレーザ光が同一光路上を伝播する場合、レーザ光がレンズを透過することによって、色収差による位置ずれが発生してしまう。すなわち、レンズを構成する媒質の屈折率が波長によって異なることから、該レンズに入射したレーザ光は波長に応じて経路が異なる故、波長に応じて投射位置が異なってしまう。かかる現象によって、同時に２波長のレーザ光を出射させた場合、波長毎に光束の集束位置が異なってしまうことから、レーザ光が照射されている照射位置においてレーザ光が完全に重なり合わない。
【００２２】
したがって、補正手段には、色収差を補正する色収差補正手段が含まれても良い。色収差補正手段は、色消しレンズとしても良い。例えば図９に示す如く、凹レンズ５８を介して２つの平凸レンズ５９、６０の平面同士が対向しており、凹レンズ５８及び平凸レンズ５９、６０の光軸が一致している色消しレンズを使用しても良い。かかる色消しレンズを通過する波長が異なるレーザ光Ｌａ、Ｌｂは、同一位置に集束する。
【００２３】
ＬＤ素子のレーザ光放射角が発光点毎に異なる場合、レーザ光の拡がり角が異なる故、投光されるレーザ光の形状がレーザ光毎に異なる。その結果、レーザ光が投光されている位置において、レーザ光が重ならない部分が形成され、完全な光の重ね合わせが形成できない。
かかるレーザ光の放射角を補正する方法として、発光源毎にレーザ光の光路差を設けることとしても良い。例えば図１０に示す如く、第２ＬＤ４ｂから発せられたレーザ光の光路長がΔＬだけ長くなるように、ハーフミラー５７ａを形成することとしても良い。上記の如き光路長の調整は、ＬＤを保持するＬＤホルダ（図示せず）を設け、該ＬＤホルダの大きさを変更することによってハーフミラーとの距離を調整し、光路差を設けることとしても良い。
【００２４】
次に、上記の如きレーザポインタの駆動部の構成について説明する。
図１１に示す如く、駆動部３ａは、電源２に接続されたパルス信号発生部５８とＬＤ駆動回路５９と切替部６０とを含み且つ順に接続されている。切替部６０は第１発光源を含む第１ＬＤ６１と第２発光源を含む第２ＬＤ６２に接続されており、切替部６０によってＬＤ駆動回路５９から供給される駆動信号が第１ＬＤ６１又は第２ＬＤ６２へ中継される。かかる構成のレーザポインタは、切替部を操作することによって、第１ＬＤと第２ＬＤの動作を切替えることができる。
【００２５】
変形例として、ＬＤ毎にパルス信号発生部とＬＤ駆動回路が含まれることとしても良い。図１２に示す如く、駆動部３ｂは、電源２に接続されている切替部６０と、切替部６０に接続されている第１パルス信号発生部５８ａと第２パルス信号発生部５８ｂと、を有する。切替部６０は、電源から供給される電流を第１パルス信号発生部５８ａ又は第２パルス信号発生部５９ｂに切替えることができる。第１パルス信号発生部５８ａは第１ＬＤ駆動回路５９ａに接続され、第２パルス信号発生部５８ｂは第２ＬＤ駆動回路５９ｂに接続されている。第１ＬＤ駆動回路５９ａは第１ＬＤ６１に接続され、第２ＬＤ駆動回路５９ｂは第２ＬＤ６２に接続されている。かかる構成のレーザポインタによれば、ＬＤ毎にパルス信号発生部とＬＤ駆動回路の設計ができる故、ＬＤの特性に合わせた動作ができる。
【００２６】
なおレーザポインタは、パルス電流の最大電流値を一定にしてＬＤを駆動する定電流駆動（ＡＣＣ）方式に限定されず、ＬＤの光出力を自動的に一定にする自動出力制御駆動（ＡＰＣ）駆動方式としても良い。例えばＬＤから発射されたレーザ光の１部を受光するフォトダイオード（以下ＰＤと称する）を設け、当該ＰＤの出力を自動的に制御する自動出力制御回路（以下ＡＰＣ回路と称する）に接続することとしても良い。ＡＰＣ回路では、例えばＰＤから発せられる光電流が予め設定された値に対して一致するように動作する。
【００２７】
図１３に示す如く、レーザポインタは第１ＬＤ６１から発せられたレーザ光の１部（Ｌα）を受光する第１ＰＤ６３と第１ＰＤ６３に接続された第１ＡＰＣ回路６５ａとを含み、第１ＡＰＣ回路６５ａが第１ＬＤ駆動回路５９ａに接続されている。また、第２ＬＤ６２から発せられたレーザ光の１部（Ｌβ）を受光する第２ＰＤ６４と第２ＰＤに接続された第２ＡＰＣ回路６５ｂとを含み、第２ＡＰＣ回路６５ｂが第２ＬＤ駆動回路５９ｂに接続されている。上記の如くＡＰＣ回路を設けることによって、レーザポインタからの出力を安定させることができる。
【００２８】
なお駆動部には、ＬＤへ中継される駆動信号のパルス信号のデューティ比、周波数及び振幅を制御するパルス信号変調部を含むこととしても良い。パルス信号変調部は、例えばパルス信号のデューティ比を制御するデューティ比制御部としても良い。デューティ比は、例えば照射位置の光の色を指定する色データに基いて変更することとしても良く、デューティ比制御部には色データを入力する色データ入力部が接続されても良い。
【００２９】
図１４に示す如く、レーザポインタは、照射位置における光の色を指定する色データを入力する色データ入力部６６と、色データ入力部６６から色データを受け且つ色データに対応する色信号を設定する色データ処理回路６７と、色データ処理回路６７から色信号を受けるデューティ比制御部６８とを順に接続している。デューティ比制御部６８は、第１パルス信号発生部５８ａと第２パルス信号発生部５８ｂとに接続している。
【００３０】
色データ入力部６６は、例えば照射位置における光の色を指定するスイッチを含む操作部（図示せず）が含まれても良い。該操作部によって指定された色に対応する色データが色データ処理回路６７へ中継された後、色データ処理回路６７からデューティ比制御部６８へ色信号が中継される。デューティ比制御部６８は該色信号に応じて第１パルス信号発生部５８ａ及び第２パルス信号発生部５８ａから発せられるパルス信号のデューティ比を変更するデューティ比変更データを設定する。該デューティ比変更データは、第１パルス信号発生部５８ａと第２パルス信号発生部５８ｂに送られ、各パルス信号発生部から発せられるパルス信号のデューティ比が変更される。パルス信号のデューティ比を変更することによって、照射位置における光の色調を変更することができる。
【００３１】
色データ入力部は、例えば図１５に示す如く、上記の如き操作部６９の他に、外部から色データを受信する受信部７０を有することとしても良い。受信部７０は、無線若しくは有線によって外部から色データを受信する受信手段を含むこととしても良い。
例えば、映像投射装置と本発明によるレーザポインタとを組合わせて用いる場合、映像投射装置に設けられた送信装置から現在スクリーンに投影されている映像の色を表わす色データを受け取ることとしても良い。受信部７０は該色データを色データ処理回路６７に中継する。色データ処理回路６７は、例えばスクリーンに現在投影している映像の色とは補色の関係にある色の色信号をデューティ比制御部６９に供給することとしても良い。かかる構成によれば、スクリーンに投影されている映像の色に対応してレーザスポットの色が選択される故、レーザポインタによって指示される位置が視認され易くなる。
【００３２】
また、受信部は、色データが記録されている記録媒体から色データを読み取る読取手段を含むこととしても良い。読取手段によって読み取られた色データは、色データ処理回路に中継される。例えば、記録媒体に予め色データを記録しておき、使用時に読取手段に当該記録媒体をセットして、読取手段から該色データを読み取ることとしても良い。かかる構成によれば、短時間に複数の色を順次照射するなどの複雑な色変化を記録媒体に記録することができることから、操作部を操作することなく照射位置における光の色を変更することができる。
【００３３】
なお、色データ処理回路６７には、レーザポインタが発しているレーザ光の色に対応する色データを外部へ送信する送信部７１が接続されても良い。
例えば、プロジェクタへ表示画像データを供給しているパソコン等の情報処理装置に色データを受信する受信装置を設け、レーザポインタから送信された色データに応じて、情報処理装置が表示画像の色を変更することとしても良い。かかる構成によれば、レーザポインタの操作部によって指定された色に対応して、スクリーンに投影される映像の色を変更することができる。また、レーザポインタにてレーザ光の色が変更された場合であっても、レーザ光が投光されている位置が視認され易い。
【００３４】
次に、駆動部の動作及び駆動部から光源部に供給される駆動信号について説明する。
光源部に赤色レーザ光を発する赤色ＬＤと青色レーザ光を発する青色ＬＤが含まれているレーザポインタにおいて、駆動部は赤色ＬＤに駆動信号Ｄｒを供給し、青色ＬＤに駆動信号Ｄｂを供給する。
【００３５】
駆動部は、赤色ＬＤ又は青色ＬＤの一方を動作せしめる単色モードにおいて一方のＬＤに駆動信号を供給することができる。例えば、図１６に示す如く、赤色ＬＤのみを駆動させる赤色モードにおいて、駆動部は、駆動信号Ｄｒのみを光源部に供給する（図１６（ａ））。
また、駆動部は、赤色ＬＤと青色ＬＤを一定時間毎に切替える切替モードで動作することとしても良い。駆動部は、駆動信号Ｄｒと駆動信号Ｄｂを一定時間毎に交互に供給する。例えば、１パルス毎に動作を切替えることとしても良い（図１６（ｂ））。かかる切替モードによれば、青色と赤色を重ね合わせた色であるピンク色の光を投光することができる。
【００３６】
駆動部は、赤色ＬＤと青色ＬＤを同時に動作させる同時発光モードで動作することとしても良い。例えば、図１６（ｃ）に示す如く、同位相パルスの駆動信号Ｄｒと駆動信号Ｄｂとを供給することとしても良い。
変形例として、駆動部の動作モードは、パルス信号のデューティ比を変更することによって投光位置の色を変更するデューティ比変更モードであっても良い。例えば、図１７に示す如く、駆動信号Ｄｂに含まれる１パルスのうちオン信号が供給されている時間Ｑと１パルス全体の時間Ｐの比を変更することとしても良い。デューティ比を小（図１７（ａ））若しくは大（図１７（ｂ））とすることによって投光位置におけるレーザ光の色調を変更することができる。
【００３７】
また駆動部は、パルス信号を変調する変調モードで動作することとしても良い。図１８（ａ）に示す如く、駆動信号Ｄｒと駆動信号Ｄｂのパルスの位相をずらすこととしても良い。
パルス信号の周波数を変調することとしても良い。例えば図１８（ｂ）に示す如く、駆動信号Ｄｒの周波数に対して駆動信号Ｄｂの周波数を１／２にすることとしても良い。
【００３８】
なお、駆動部は上記の駆動モードを組合わせて動作することとしても良い。
上記実施例においてレーザポインタの光源部は２つの発光点が備えられているものの、これに限定されず３以上の発光点が含まれても良い。例えば赤色（Ｒ）、緑色（Ｇ）、青色（Ｂ）の３原色を発する光源部を有するレーザポインタとすることによって、任意にレーザ光の色を選択することができる。
【００３９】
また、発光源が直流電流で駆動できる場合は、パルス信号発生回路を設けなくても良い。
レーザ光を出射する光源部と、前記光源部を駆動する駆動部と、前記光源部から発せられたレーザ光を中継して略平行な投射ビームを出射する光学系と、を含む多色レーザ投光装置であって、前記光源部は、各々から発せられるレーザ光の色が互いに異なっている２以上の発光源を有することを特徴とする多色レーザ投光装置によれば、多色のレーザ光を投光することができることから、投光位置の材料、色及び明るさに応じてレーザ光の色を変更することができる故、投光位置のレーザ光の視認性を高めることができる。
【図面の簡単な説明】
【図１】本発明によるレーザ投光装置の構成を示すブロック図である。
【図２】本発明による発光源の構成を示す斜視図である。
【図３】本発明によるレーザ素子の構成を示す断面図である。
【図４】図３に示すレーザ素子の等価回路を示す図である。
【図５】本発明によるレーザ素子の構成を示す断面図である。
【図６】図５に示すレーザ素子の等価回路を示す図である。
【図７】発光点の距離と照射位置の距離を説明する図である。
【図８】本発明によるレーザ投光装置の変形例を示すブロック図である。
【図９】本発明に使用される色消しレンズを示す断面図である。
【図１０】本発明によるレーザ投光装置の変形例を示すブロック図である。
【図１１】本発明による駆動部の構成を示すブロック図である。
【図１２】本発明による駆動部の変形例を示すブロック図である。
【図１３】本発明による駆動部の変形例を示すブロック図である。
【図１４】本発明による駆動部の変形例を示すブロック図である。
【図１５】本発明による駆動部の変形例を示すブロック図である。
【図１６】本発明による駆動部から供給される駆動信号を示すタイミングチャートである。
【図１７】本発明による駆動部から供給される駆動信号を示すタイミングチャートの変形例である。
【図１８】本発明による駆動部から供給される駆動信号を示すタイミングチャートの変形例である。
【符号の説明】
１  レーザポインタ
２  電源
３  駆動部
４  光源
５  光学レンズ
５７  ハーフミラー
【図１】
2004309609.tif 000003
【図２】
2004309609.tif 000004
【図３】
2004309609.tif 000005
【図４】
2004309609.tif 000006
【図５】
2004309609.tif 000007
【図６】
2004309609.tif 000008
【図７】
2004309609.tif 000009
【図８】
2004309609.tif 000010
【図９】
2004309609.tif 000011
【図１０】
2004309609.tif 000012
【図１１】
2004309609.tif 000013
【図１２】
2004309609.tif 000014
【図１３】
2004309609.tif 000015
【図１４】
2004309609.tif 000016
【図１５】
2004309609.tif 000017
【図１６】
2004309609.tif 000018
【図１７】
2004309609.tif 000019
【図１８】
2004309609.tif 000020